(57)【要約】【課題】  標線を投光表示するための投光部を、Ｘ線検出部に対して後から付設する場合においても、その付設を容易に実行でき、また、投光部がＸ線撮影等の支障とならないＸ線撮影装置を提供する。【解決手段】  イメージインテンシファイア３２の側面におけるＣ型アーム３３側の位置には、一対の投光部５１、５２が配設されている。これらの投光部５１、５２には、各々、スリット状のレーザ光照射部が形成されている。これらの投光部５１、５２から照射されたスリット状のレーザ光により、被検者の体表において互いに直交する方向を向く標線が投光表示される。投光部５１、５２とＣ型アーム３３の先端に配設された保持部３８とは、電力供給用の配線によりイメージインテンシファイア３２の外側において接続されており、この配線は、カバー部材５３、５４によりカバーされている。【選択図】        図２
2018046916.tif 000002
【特許請求の範囲】
【請求項１】
Ｘ線照射部と、前記Ｘ線照射部から照射され被検者を通過したＸ線を検出するＸ線検出部と、前記Ｘ線照射部と前記Ｘ線検出部とを支持するアームと、を備えたＸ線撮影装置において、
前記Ｘ線検出部の側面における前記アーム側の位置に配設され、前記Ｘ線照射部からのＸ線照射位置を示す互いに交差する標線を前記被検者の体表に投光表示するための一対の投光部と、
前記一対の投光部と前記アームとを、前記Ｘ線検出部の外側で接続する配線と、
を備えたことを特徴とするＸ線撮影装置。
【請求項２】
請求項１に記載のＸ線撮影装置において、
前記配線を覆うカバー部材が前記Ｘ線検出部の外周部に配設されるＸ線撮影装置。
【請求項３】
請求項１または請求項２に記載のＸ線撮影装置において、
前記Ｘ線検出部は、イメージインテンシファイアとカメラとから構成され、前記一対の投光部は、前記イメージインテンシファイアの側面における前記アーム側の位置に、互いに一定距離離隔した状態で配設されるＸ線撮影装置。
【発明の詳細な説明】
【技術分野】
【０００１】
この発明は、Ｘ線照射部と、このＸ線照射部から照射され被検者を通過したＸ線を検出するＸ線検出部と、これらのＸ線照射部とＸ線検出部とを支持するアームとを備えたＸ線撮影装置に関する。
【背景技術】
【０００２】
このようなＸ線撮影装置としては、例えば、手術室に搬入されて使用される外科用Ｘ線撮影装置と呼称されるものがある。この外科用Ｘ線撮影装置は、Ｘ線管と、このＸ線管から照射され被検者を通過したＸ線を検出するイメージインテンシファイア（Ｉ．Ｉ．）等のＸ線検出器を備えたＸ線検出部と、円弧状の形状を有し、Ｘ線管とＸ線検出部とを支持する略Ｃ字状のＣ型アームを備えている。このＣ型アームは、装置本体に対して水平方向を向く軸心を中心に回転可能に支持されており、装置本体は、下部にキャスターを付設して移動可能に構成されている。
【０００３】
このようなＸ線撮影装置においては、Ｘ線照射部からのＸ線照射位置を示す標線を被検者の体表に投光表示するための投光部を備えているものがある。特許文献１には、Ｃ型アームの一端に支持されたＸ線管に対して、被検者にレーザビームを照射する照準器を備えた外科用放射線装置が開示されている。照準器は、２個のレーザ光源からなり、各光源から照射されたレーザビームがイメージインテンシファイアの前面や被検体の体表に投影される構成を有する。また、特許文献２には、Ｘ線管あるいはイメージインテンシファイアに対して、被検体の体表にＸ線照射方向の略中心に相当する位置を投光表示するための２個のレーザ投光器が固設されたＸ線透視診断装置が開示されている。
【先行技術文献】
【特許文献】
【０００４】
【特許文献１】特開２００６−８１５９０号公報
【特許文献２】特開平９−２８７０１号公報
【発明の概要】
【発明が解決しようとする課題】
【０００５】
標線を被検者の体表に表示するためのレーザ光源等の投光部は、一般的には、Ｘ線管とコリメータとを備えたＸ線照射部に内蔵されている。
【０００６】
また、このような投光部を備えていないＸ線撮影装置に対して、後から投光部を付設する場合においては、一般的に、バッテリーを備えたレーザ照射ユニットからなる投光器を取り付ける構成を有する。このように、バッテリーを備えたレーザ照射ユニットからなる投光器を使用した場合には、投光器自体が大型化し、この投光器が周辺機器や被検者と接触するという問題が生ずる。
【０００７】
また、レーザ光源等の投光部を、Ｘ線照射部に内蔵するのではなく、イメージインテンシファイア等のＸ線検出部に内蔵することが困難であるという問題もある。すなわち、Ｘ線照射部を構成するＸ線管やコリメータは、Ｘ線撮影装置と一括して設計され製作されるものであるが、Ｘ線検出部を構成するイメージインテンシファイア等は、市販のものが使用される。このため、イメージインテンシファイアに対して投光部を内蔵することは現実的でない。
【０００８】
この発明は上記課題を解決するためになされたものであり、標線を投光表示するための投光部を、Ｘ線検出部に対して後から付設する場合においても、その付設を容易に実行でき、また、投光部がＸ線撮影等の支障とならないＸ線撮影装置を提供することを目的とする。
【課題を解決するための手段】
【０００９】
請求項１に記載の発明は、Ｘ線照射部と、前記Ｘ線照射部から照射され被検者を通過したＸ線を検出するＸ線検出部と、前記Ｘ線照射部と前記Ｘ線検出部とを支持するアームと、を備えたＸ線撮影装置において、前記Ｘ線検出部の側面における前記アーム側の位置に配設され、前記Ｘ線照射部からのＸ線照射位置を示す互いに交差する標線を前記被検者の体表に投光表示するための一対の投光部と、前記一対の投光部と前記アームとを、前記Ｘ線検出部の外側で接続する配線と、を備えたことを特徴とする。
【００１０】
請求項２に記載の発明は、請求項１に記載の発明において、前記配線を覆うカバー部材が前記Ｘ線検出部の外周部に配設される。
【００１１】
請求項３に記載の発明は、請求項１または請求項２に記載の発明において、前記Ｘ線検出部は、イメージインテンシファイアとカメラとから構成され、前記一対の投光部は、前記イメージインテンシファイアの側面における前記アーム側の位置に、互いに一定距離離隔した状態で配設される。
【発明の効果】
【００１２】
請求項１に記載の発明によれば、一対の投光器をＸ線検出部の側面に配設し、これらの投光器をＸ線検出部の外側で配線により接続することから、Ｘ線検出部に投光部を後から付設する場合においても、その付設を容易に実行することが可能となる。また、Ｘ線検出部がバッテリーを備える必要がないことから、投光器自体が大型化することはない。さらに、一対の投光部がＸ線検出部のアーム側に配設されることから、これらのＸ線検出部と被検者との衝突等を防止することができ、これらのＸ線検出部がＸ線撮影等の支障となることを防止することが可能となる。
【００１３】
請求項２に記載の発明によれば、配線を覆うカバー部材により、配線をカバーしして保護することが可能となる。
【００１４】
請求項３に記載の発明によれば、Ｘ線検出面が略円形をなすイメージインテンシファイアの側面におけるアーム側の位置に一対の投光部を配設したことから、これらのＸ線検出部がＸ線撮影等の支障となることを、特に有効に防止することが可能となる。
【図面の簡単な説明】
【００１５】
【図１】この発明に係るＸ線撮影装置の斜視図である。
【図２】Ｘ線検出部付近を示すの拡大斜視図である。
【図３】Ｘ線検出部を下面から見た概要図である。
【発明を実施するための形態】
【００１６】
以下、この発明の実施の形態を図面に基づいて説明する。図１は、この発明に係るＸ線撮影装置の斜視図である。
【００１７】
このＸ線撮影装置は、外科手術を行うときにＸ線透視または撮影を実行するときに、手術室等に移動させて使用される外科用のＸ線撮影装置である。このＸ線撮影装置は、装置本体４０と、Ｘ線管３１と、このＸ線管３１から照射されるＸ線の照射野を規定するコリメータ３６を有するＸ線照射部と、Ｘ線管３１から照射されて手術台上に横たわった被検者を通過したＸ線を検出するＸ線検出器としてのイメージインテンシファイア（Ｉ．Ｉ．）３２と、このイメージインテンシファイア３２により検出された画像を撮影するカメラ３７から成るＸ線検出部と、これらのＸ線照射部およびＸ線検出部を支持するＣ型アーム３３とを備える。なお、イメージインテンシファイア３２とカメラ３７からなるＸ線検出部は、内部に電装ボックス等を備えた保持部３８を介して、Ｃ型アーム３３に支持されている。
【００１８】
装置本体４０は、台車状の構造を有し、移動機構を構成する方向変更用の車輪である図示を省略した前輪と、図示しないモータの駆動により回転する駆動車輪である左右一対の後輪４２と、装置の進行方向を操作するためのハンドル４３とが配設されている。装置本体４０内には、指定された条件でＸ線撮影またはＸ線透視を実行するための装置制御を行う演算装置および記憶装置が内設されている。
【００１９】
Ｃ型アーム３３は、円弧状の形状を有し、Ｘ線管３１およびコリメータ３６からなるＸ線照射部と、イメージインテンシファイア３２およびカメラ３７からなるＸ線検出部とを、Ｘ線照射部からＸ線検出部に至るＸ線の軸線が、Ｃ型アーム３３の円弧の直径と一致する状態で支持している。このＣ型アーム３３は、支持部３４に対してスライド可能に支持されている。また、支持部３４は、装置本体４０に配設され、支持部３４をＣ型アーム３３等とともに、Ｘ線照射部からＸ線検出部に至るＸ線の軸線と直交する軸を中心に旋回させる旋回部３５に連結されている。
【００２０】
また、装置本体４０の旋回部３５が配置されている上面部には、ＬＣＤタッチパネル４６が配設されている。ＬＣＤタッチパネル４６には、Ｘ線透視または撮影のために必要とされる操作項目を示す複数の操作スイッチや、Ｘ線透視画像または撮影画像等が表示される。
【００２１】
図２は、Ｘ線検出部付近を示すの拡大斜視図である。また、図３は、Ｘ線検出部を下面から見た概要図である。
【００２２】
Ｘ線検出部を構成するイメージインテンシファイア３２の側面におけるＣ型アーム３３側の位置には、一対の投光部５１、５２が配設されている。図３に示すように、これらの投光部５１、５２は、円形をなすイメージインテンシファイア３２のＸ線検出面３２ａの外周部に、一定距離離隔した状態で配設されている。これらの投光部５１、５２は、イメージインテンシファイア３２に対して、イメージインテンシファイア３２の下面側からネジ等により固定されている。そして、これらの投光部５１、５２の配置は、Ｃ型アーム３３から互いに４５度離隔した角度位置となっている。
【００２３】
投光部５１には、スリット状のレーザ光照射部６１が形成されており、投光部５２には、スリット状のレーザ光照射部６２が形成されている。レーザ光照射部６１とレーザ光照射部６２とは、互いに直交する方向を向いて形成されている。このため、レーザ光照射部６１とレーザ光照射部６２とから照射されたスリット状のレーザ光により、被検者の体表において互いに直交する方向を向く標線が投光表示される。この標線は、Ｘ線照射部からのＸ線照射位置を示すものであり、オペレータは、この標線を基準として被検者に対する撮影位置を調整するため、Ｃ型アーム３３を移動させる。
【００２４】
投光部５１および投光部５２と、Ｃ型アーム３３の先端に配設された保持部３８とは、これらの投光部５１、５２に電力を供給するための配線により、イメージインテンシファイア３２の外側において接続されている。この配線は、保持部３８の内部に配設された電装ボックス等を介してＣ型アーム３３に接続され、Ｃ型アーム３３を介して装置本体４０に内蔵された電源供給部と接続されている。投光部５１からの配線と投光部５２からの配線は、カバー部材５３によりカバーされる。そして、投光部５１からの配線と投光部５２からの配線は、ひとまとめにされ、カバー部材５４によりカバーされた状態で、保持部３８内に案内されている。
【００２５】
以上のような構成を有するＸ線撮影装置によりＸ線撮影またはＸ線透視を実行するときには、投光部５１におけるスリット状のレーザ光照射部６１と投光部５２におけるスリット状のレーザ光照射部６２からレーザ光を照射し、被検者の体表でレーザ光による標線を表示させる。そして、その標線を利用してＣ型アーム３３を移動させることにより、Ｘ線照射部からＸ線検出部に至るＸ線の光軸を調整する。
【００２６】
このときには、投光部５１、５２は、Ｘ線検出面３２ａが略円形をなすイメージインテンシファイア３２の側面におけるＣ型アーム３３側の位置に配設されていることから、これらの投光部５１、５２が被検者と衝突すること等によりＸ線撮影等の支障となることを防止することができる。また、これらの投光部５１、５２はＣ型アーム３３等を介して装置本体４０から電力の供給を受けることから、バッテリー等を配設する必要がなく、小型化が可能となる。
【００２７】
また、投光部５１、５２は、イメージインテンシファイア３２の外部から保持部３８を介してＣ型アーム３３に至る配線により装置本体４０から電力の供給を受けるとともに、その配線はイメージインテンシファイア３２の外周部に配設されたカバー部材５３、５４によりカバーされることから、他の部材と干渉することによる断線等の問題が生ずることもない。
【００２８】
また、このような構成を採用することにより、投光部５１、５２を、既存のＸ線撮影装置におけるイメージインテンシファイア３２に対して、後から、容易に付設することが可能となる。
【００２９】
なお、上述した実施形態においては、Ｘ線検出部を構成するＸ線検出器として、Ｘ線検出面３２ａが略円形をなすイメージインテンシファイア３２を使用しているが、フラットパネルディテクタ等のその他のＸ線検出器を使用してもよい。
【００３０】
また、上述した実施形態においては、レーザ光照射部６１とレーザ光照射部６２とが互いに直交する方向を向いて形成されることにより、被検者の体表において互いに直交する方向を向く標線が投光表示される構成を採用しているが、レーザ光照射部６１とレーザ光照射部６２とから照射されたスリット状のレーザ光が、９０度以外の角度で交差するようにしてもよい。
【００３１】
さらに、上述した実施形態においては、この発明を、Ｃ型アーム３３を備えた外科用Ｘ線撮影装置に適用した場合について説明したが、その他の形状を有するアームを備えたＸ線撮影装置にこの発明を適用してもよい。
【符号の説明】
【００３２】
３１      Ｘ線管
３２      イメージインテンシファイア
３３      Ｃ型アーム
３４      支持部
３５      旋回部
３６      コリメータ
３７      カメラ
３８      保持部
４０      装置本体
４３      ハンドル
５１      投光部
５２      投光部
５３      カバー部材
５４      カバー部材
６１      レーザ光照射部
６２      レーザ光照射部
【図１】
2018046916.tif 000003
【図２】
2018046916.tif 000004
【図３】
2018046916.tif 000005